(57)【要約】      （修正有）【課題】網の張りの斑を取り除き良好な網戸の仕上がりを得る。【解決手段】特殊具１を網張りローラー８に取り付けてこれを網戸の網張りにおいて適宜使用する。第一番目の枠辺と第二番目の枠辺は特殊具１無しの網張りローラーを使用して当該枠辺と網の網目の平行に留意しながら網張りする。続いて第三番目と第四番目の枠辺は特殊具１付きの網張りローラーを用いて網張りするが、その網張り概要は網張りローラー８が枠溝に網と網押さえビートを同時に押し込んで行く時、特殊具の車４が網張りローラー８の車１１の左斜め前方の網をこの下部の枠辺に押し付けて行く。この網を押し付けて行くことは片手で網を網戸枠外へ押し広げて行く作業と同じ効果をもたらすと共に網の張りがより均一となり、網戸の仕上がり状態も著しく向上する。【選択図】    図１
2006194056.tif 000002
【特許請求の範囲】
【請求項１】
網押さえ部と網押さえ部支持部から構成されることを特徴とする網張りローラー用の特殊具。
【請求項２】
作動時において、特殊具の車が網を枠辺に押し付けて行く状態、又は特殊具の車が網を枠辺に押し付けて行かない状態の二通りに切り替え可能としたことを特徴とする請求項１記載の網張りローラー用の特殊具。
【請求項３】
網戸の網張り作業中の適時において、網と網押さえビートを枠溝に押し込みながら走る網張りローラーと共にこの網張りローラーの車の左斜め前方の網をこの下部の枠辺に押え付けながら走ることを特徴とする網張りローラー用の特殊具。
【請求項４】
網戸の網張り作業中の適時において、網と網押さえビートを枠溝に押し込みながら走る網張りローラーと共にこの網張りローラーの車の右斜め前方の網をこの下部の枠辺に押え付けながら走ることを特徴とする網張りローラー用の特殊具。
【請求項５】
特殊具と網張りローラーの接する部分が一体成型されたもの。
【発明の詳細な説明】
【発明の詳細な説明】
【技術分野】
【０００１】  この発明は網戸の網張りに使用する道具に関する。
【背景技術】
【０００２】  従来の一般的な網戸の網張り方法を以下述べる。まず、網戸の網張りは網戸枠を構成する四枠辺を順次網張りするが、第一番目の枠辺と第二番目の枠辺において枠辺と網の網目を概ね平行にして枠溝に網と網押さえビートを同時に押し込んで行き、第三番目の枠辺と第四番目の枠辺の枠辺においては必要回数片方の手で網を網戸枠外へ押し広げながらもう一方の手の網張りローラーで枠溝に網と網押さえビートを同時に押し込んで行く。続いて網戸全体を見回して膨れ（ふくれ）や皺（しわ）が有ればそれを補正した後網押さえビートの端と端を枠溝の中で合致させる。そして最後に網押さえビートの際を切り回して余分な網を除去する。
【発明が解決しょうとする課題】
【０００３】  前述の第三番目の枠辺と第四番目の枠辺の各枠辺において必要回数片方の手で網を網戸枠外へ押し広げながらもう一方の手の網張りローラーで枠溝に網と網押さえビートを同時に押し込んで行く作業では、網戸枠外へ網を押し広げる力の強弱等により網に不均一な張りが往々にして現出する（この不均一な張りは直接当該網を手で触れることにより確実に察知することができる）。そして網の不均一な張りは網の膨れや皺につながり、これが網戸の仕上がりに支障を来たすという問題点があった。
【課題を解決するための手段】
【０００４】  上記の問題を解決するために前述の片方の手で網を網戸枠外へ押し広げる作業を網張りローラーに取り付けた特殊具に代行させるようにした。この特殊具は基本として網押さえ部（網を枠辺に押し付けて行く部分である）と網押さえ部支持部（網張りローラーからの定位置に網押さえ部を保持する部分である）から成り、前者の網押さえ部には車（この車を以後特殊具の車と呼ぶ）が付いている。この特殊具を付けた網張りローラーは網戸枠の四枠辺を順次網張りする時基本として第三番目の枠辺と第四番目の枠辺の網張り時に使用する。以下、網戸枠の四枠辺を順次右回りに網張りする場合を例にとり該特殊具の働きを述べる。まず、該特殊具の働きを有効に得るためには第一番目の枠辺と第二番目の枠辺を枠辺と網の網目の平行に留意しながら該特殊具の付いていない網張りローラーを使用して網張りする。これを前提として次の第三番目の枠辺と第四番目の枠辺の網張りに移行する。これら第三番目の枠辺と第四番目の枠辺の各々の網張りにおける重要な点は、網張りローラーが枠溝に網と網押さえビートを同時に押し込んで行く時、特殊具の車も網張りローラーの車の左斜め前方の網を当該枠辺に押し付けて行くことである（この左斜め前方については図２において明示している。この図は左斜め前方の位置を示すのが目的であり図中網と網押さえビートを省略して作動時の車の主外形のみを描いている。尚、図内の符号は便宜上後述した実施例の符号を用いている。また図中の符号ａは枠辺を示す。また図内の矢印は車の進行方向を示す。）。この網を押し付けて行くことが網張りローラーによる枠溝への網の引き込みを阻止することになり、結果として従来の作業（片方の手で網を網戸枠外へ押し広げる作業）と同じ効果を得ることができる。そして更に網の張りも一段と均一になる。
【０００５】  次に該特殊具の各部分等について列記する。
まず、該特殊具はその働きが確保されるならば部品構成等において特に限定されず、例えば網押さえ部と網押さえ部支持部から構成されるのが好ましい。
【０００６】  続いて、該特殊具は作業者の利き腕に応じて網張りローラーの左側及び右側に自在に取り付けるようにしてもよい。尚、図２は該特殊具を網張りローラーの左側に取り付けたものである。
【０００７】  続いて、該特殊具の網押さえ部は網を枠辺に押し付けて行く働きが有れば形態等について特に限定されず、例えば枠辺に特殊具の車を押し付ける働きをする伸縮材（スプリング等）を取り付けてもよい。
【０００８】  続いて、特殊具の車は網張りローラーによる枠溝への網の引き込みを阻止するために直接枠辺に網を押さえ付けて行く働きをするが、この働きを確保することができるならば、図２の二つの車の中心間距離Ａ、並びに二つの車の開き幅Ｂは特に限定されず、例えば中心間距離Ａは２５ｍｍ程度が望ましく、開き幅Ｂは１７ｍｍ程度が望ましい。
【０００９】  また、特殊具の車は網張り時枠辺に概ね垂直に立った状態で網張りローラーの車と共に移動するのが基本であるが、特殊具の車としての機能が確保されるならばこの特殊具の車は上記の概ね垂直に立った状態等でなくてもよい。
【００１０】  また、特殊具の車は直接枠辺に網を押し付けて行く働きが有れば形態等について特に限定されず、例えばゴム製のタイヤ状のものでもよい。
【００１１】  続いて、該特殊具の網押さえ部支持部は網張りローラーから一定の位置に網押さえ部を保持する働きがあれば形態等について特に限定されず、例えば断面がコの字形のものを加工して網張りローラーに取り付けるようにしてもよい。
【００１２】  続いて、特殊具付き網張りローラーの特殊具の車を、網戸の網張り時に、次の二通りの状態になるようにしてもよい。その一つは網を枠辺に押し付けて行く状態、そして、もう一つは網を枠辺に押し付けて行かない状態。この具体的な一例として特殊具の網張りローラーに取り付ける部分を蝶番等による可動部とすることがあげられる。このような構造にすることにより、四枠辺を順次網張りする時、第一番目と第二番目の枠辺の網張りにおいては特殊具を跳ね上げて網張りローラーだけを使用出来、第三番目と第四番目の枠辺の網張りにおいては特殊具を下げ降ろして本来の特殊具付き網張りローラーとして使用できる。
【００１３】  続いて、該特殊具を網張りローラーに取り付ける方法は、該特殊具の機能を発揮させることができるならば特に限定されず、例えば、該特殊具が網張りローラーの右側または左側になるように網押さえ部支持部と網張りローラーの胴体を一体成型してもよい。
【００１４】  続いて、特殊具付き網張りローラーを使用する場合、特殊具の車が確実に当該枠辺に網を押さえて行くようにする。この確実に網を押さえて行くことが該特殊具を使用するうえで重要である。
【００１５】  続いて、該特殊具は網戸の網張り時において網の張りを均一にする機能を持つが、この機能を発揮できるならば、「網戸枠の四枠辺を順次網張りする時、第三番目の枠辺と第四番目の枠辺の網張りにおいて該特殊具を使用する」ことにこだわらなくてもよい。
【００１６】  続いて、該特殊具は網張りローラーに取り付けて使用するのが基本である。そしてこの網張りローラーについては該特殊具の機能を引き出すものであればよく、特にこだわらない。但し、事情により使用不可の網張りローラーを除く。
【００１７】  以上、該特殊具の部分等について述べた。尚、本発明の説明において網戸枠の四枠辺の網張りは右回りを採用しているが左回りの場合はこの右回りの説明を準用するものとする。
【発明を実施するための最良の形態】
【００１８】  以下、発明の実施の形態を実施例に基づき図面を参照して説明する。
まず、本実施例においては図１に示す特殊具付き網張りローラーを使用する。また、本実施例において該特殊具が付かない網張りローラー（該特殊具が付かない網張りローラーを以後網張りローラーＳと呼称する）も合わせて使用する。これら両者の使いみちは網戸枠の四枠辺を順次網張りするとき第一番目の枠辺と第二番目の枠辺の網張りにおいて網張りローラーＳを使用し、第三番目の枠辺と第四番目の枠辺の網張りにおいて特殊具付き網張りローラーを使用する。さて、この特殊具１は網押さえ部２と網押さえ部支持部３の二部分から成り立つがこれらを次に説明する。まず、網押さえ部２は網１２を枠辺に押し付けて行く機能を持つが、この網押さえ部２は特殊具の車４、特殊具の車取付部５、特殊具の車用のスプリング６、特殊具の車用の心棒７、の各部分から成る。次に網押さえ部支持部３は網張りローラー８からの定位置に網押さえ部２を保持する部分であるがこの網押さえ部支持部３には網押さえ部２の心棒７二本を通すための穴が有る。そしてこの網押さえ部支持部３は二箇所のボルト、ナットで網張りローラー８に取り付けられている（図中では一箇所のボルトとナットのみ表れている）。尚、網押さえ部支持部３は網張りローラー８の左側に取り付けたものであり、これは網張りの右回り用の特殊具付き網張りローラーである。【００１９】  以上述べた特殊具付き網張りローラーと網張りローラーＳの両方を使った網戸の網張りの一例を順次述べる。まず、網張り前の準備として網戸枠の全面に網１２をかぶせ、枠辺と網１２の網目を平行にする。尚、用語の定義として網戸枠の各枠辺において網１２と網押さえビート１３を枠溝１６に押し込む網張りスタート部分を網張り始点部１４と呼び、これに続く同枠辺の網張り終了部分を網張り終点部１５と呼ぶことにする（図３参照）。【００２０】  上記の準備を踏まえて、図３により第一番目の枠辺の網張りを説明する。
まず、第四番目の枠辺の枠溝１６の網張り終点部１５から第一番目の枠辺の枠溝１６の網張り始点部１４にかけてＬ字状に網張りローラーを使用して網１２と網押さえビート１３を押し込む。そして、第一番目の枠辺の網張り終点部１５と第二番目の枠辺の網張り始点部１４の交点部あたりの網１２を第一番目の枠辺の網張り始点部１４から網張り終点部１５の方向へ一直線に押し伸ばす。この時第一番目の枠辺と網１２の網目が概ね平行となるように留意する。そして、網１２を押し伸ばした状態で網張りローラーＳを使いこの第一番目の枠辺の枠溝１６に網１２と網押さえビート１３を同時に押し込んで行く。【００２１】  続いて、図４により第二番目の枠辺の網張りを説明する。
まず、第二番目の枠辺の網張り始点部１４に網１２と網押さえビート１３を長さ３ｃｍ程度押し込む。そして、以後の作業手順は前述した第一番目の枠辺の網張り手順と同じである。【００２２】  続いて、図５により第三番目の枠辺の網張りを説明する。
まず、第三番目の枠辺の網張り始点部１４に網１２と網押さえビート１３を長さ１〜１．５ｃｍ程度押し込む。そして第三番目の枠辺と第四番目の枠辺の交点部あたりの網１２を矢印の方向へ引っ張る。そしてこの引っ張った状態で第四番目の枠辺の網張り始点部１４に網１２と網押さえビート１３を長さ３ｃｍ程度押し込む。そして特殊具付き網張りローラーを右手に持ちこの第三番目の枠辺の枠溝１６に網１２と網押さえビート１３を同時に押し込んでゆく。この網張りの後、第四番目の枠辺の網張り始点部１４に押し込んでいる網１２と網押さえビート１３をこの網張り始点部１４から取り外す。この枠辺の網張りで注意すべき点は、網張り時左手は特殊具付き網張りローラーを持つ右手に添えても良いが極力網張り中の網１２に触らないようにすること、そして特殊具の車４は網張りローラー８の車１１の左斜め前方の網１２を枠辺に確実に押し付けて行くようにすることである。尚、特殊具付き網張りローラーを前後に少々動かしながら網張りすると確実で楽な網張りができる。【００２３】  続いて、図６により第四番目の枠辺の網張りを説明する。
まず、第四番目の枠辺の網張り始点部１４に網１２と網押さえビート１３を長さ３ｃｍ程度押し込む。そして特殊具付き網張りローラーを使って同枠辺の網張り終点部１５まで網１２と網押さえビート１３を同時に押し込んで行く。【００２４】  以上の作業後、第四番目の枠辺の網張り終点部１５の網押さえビート１３同士が出会うところで網押さえビート１３を切断する。そして網戸全体を見回して不良箇所があれば適切な処置をする。そして網押さえビート１３の端部を枠溝１６に押し込んで網押さえビート１３の端部と端部を合致させる。最後に四枠辺の枠溝１６に網押さえビート１３と共に押し込んでいる網１２をこの網押さえビート１３の際に沿ってカッターで切り回し、これにより派生した網１２の残余を除去する。【００２５】  次に、これまで述べた本発明の特殊具を用いた網戸の網張りに関する事項を列記する。
まず、枠溝１６に網張りローラー８の車１１を入れたとき枠溝１６の上部開口幅に対し網張りローラー８の車１１の厚さが適正でなければ該特殊具の働きを阻害することにつながる。ゆえにこの網張りローラー８の車１１の厚さは網１２の太さ等を勘案して枠溝１６に合った適正なものを選ぶ。【００２６】  続いて、枠溝１６に対する網押さえビート１３の直径も網戸の網張りに重大な影響を及ぼすので網押さえビート１３の直径は網１２の太さ等を勘案して枠溝１６に合った適正なものにする。【００２７】  続いて、網戸の網張り作業が終るまで網戸枠の中に網１２を突き上げるようなものは置かないようにする。また網戸の網張り作業が終るまで網１２の上に物を置かないようにする。【００２８】  続いて、第三番目の枠辺と第四番目の枠辺の各々の網張りにおいて、網張りする枠辺の長さが１．５ｍや１．８ｍ等の長尺になる場合等は当該枠辺の中間部あたりの網１２を左手で網戸枠外へ押し広げた状態にして網張りすればより確実に均一な網１２の張りを得ることができる。
【発明の効果】
【００２９】  本発明は、以上説明したように構成されそして使用されるので、以下に記述するような効果を奏する。
【００３０】  まず、四枠辺を順次網張りするとき、第三番目の枠辺と第四番目の枠辺の網張りにおいて該特殊具を付けた網張りローラーを使用すれば網戸枠外へ網を押し広げる力の強弱等を気にすることなく容易で楽な網張りができる。
【００３１】  また、四枠辺の網張りを順次行うときの第三番目の枠辺と第四番目の枠辺の網張りにおいて、片手で網を網戸枠外へ押し広げる作業は往々にして網の張りに斑（むら）が出るが、該特殊具を付けた網張りローラーを使用した網張り作業ではこの斑が極めて少なくなり均一な網の張りとなる。このように該特殊具を付けた網張りローラーを使うことにより均一な網の張りを得、これが網の膨れや皺の激減につながる。ゆえに網戸の仕上がり状態は著しく向上する。
【図面の簡単な説明】
【図１】  特殊具付き網張りローラーの斜視図である。
【図２】  網張りローラーの車に対する特殊具の車の位置を示す図である。
【図３】  網張りローラーＳを用いて第一番目の枠辺の網張りをしている図である。
【図４】  網張りローラーＳを用いて第二番目の枠辺の網張りをしている図である。
【図５】  特殊具付き網張りローラーを用いて第三番目の枠辺の網張りをしている図である。
【図６】  特殊具付き網張りローラーを用いて第四番目の枠辺の網張りをしている図である。
【符号の説明】
１    特殊具
２    網押さえ部
３    網押さえ部支持部
４    特殊具の車
５    特殊具の車取付部
６    特殊具の車用のスプリング
７    特殊具の車用の心棒
８    網張りローラー
９    網張りローラーの角
１０  網張りローラーの胴体
１１  網張りローラーの車
１２  網
１３  網押さえビート
１４  網張り始点部
１５  網張り終点部
１６  枠溝
【図１】
2006194056.tif 000003
【図２】
2006194056.tif 000004
【図３】
2006194056.tif 000005
【図４】
2006194056.tif 000006
【図５】
2006194056.tif 000007
【図６】
2006194056.tif 000008